(57)【要約】【課題】対象者が求める機器の制御を精度よく実施するための人状態を推定する人状態推定モジュール等を提供する。【解決手段】対象者の体感する状態である人状態を推定するための人状態推定モジュール１００であって、個人と、個人に特有の情報とを紐づけて記憶する個人情報保持部１６３と、人状態の推定を行う人状態推定部１６１と、個人情報保持部１６３に記憶された個人の中から、対象者を示す個人を特定することにより、対象者と、個人および個人に特有の情報とを対応付ける個人特定部１２５と、を備え、人状態推定部１６１は、個人特定部１２５により対象者に対応付けられた個人および個人に特有の情報に基づき人状態の推定を行う。【選択図】図１
2020153780.tif 000002
【特許請求の範囲】
【請求項１】
対象者の体感する状態である人状態を推定するための人状態推定モジュールであって、
個人と、前記個人に特有の情報とを紐づけて記憶する個人情報保持部と、
前記人状態の推定を行う人状態推定部と、
前記個人情報保持部に記憶された前記個人の中から、前記対象者を示す前記個人を特定することにより、前記対象者と、前記個人および前記個人に特有の情報とを対応付ける個人特定部と、を備え、
前記人状態推定部は、前記個人特定部により前記対象者に対応付けられた前記個人および前記個人に特有の情報に基づき前記人状態の推定を行う、
人状態推定モジュール。
【請求項２】
前記個人に特有の情報は、前記個人の特性情報、前記個人の好みに関する情報、および前記個人が体感する状態の正解値のうち少なくとも１つを含み、
前記人状態推定モジュールは、さらに、前記対象者が入力する前記個人に特有の情報を受け付けて前記個人情報保持部に記憶させる個人情報入力部を備え、
前記個人特定部は、前記対象者と、前記個人情報保持部に記憶された前記個人および前記個人に特有の情報とを対応付ける、
請求項１に記載の人状態推定モジュール。
【請求項３】
さらに、対象人選択部を備え、
前記個人情報入力部により前記個人および前記個人に特有の情報の入力が受け付けられる前記対象者は、前記対象人選択部により、複数の対象者のうちから選択された一の対象者である、
請求項２に記載の人状態推定モジュール
【請求項４】
さらに、前記対象者の画像を取得する画像取得部を備え、
前記個人特定部は、取得された前記画像を用いて前記対象者と、前記個人情報保持部に記憶されている前記個人および前記個人に特有の情報とを対応付ける、
請求項１〜３のいずれか一項に記載の人状態推定モジュール。
【請求項５】
さらに、前記画像取得部によって取得された画像を表示するカメラ画像表示部と、
前記人状態推定部によって推定された前記人状態を示す画像を表示する人状態表示部と、を備え、
前記人状態表示部は、前記カメラ画像表示部により表示されている画像のうち、前記対象者を含む所定の範囲が表示されている領域に、前記人状態を示す画像の少なくとも一部を重畳させて表示する、
請求項４に記載の人状態推定モジュール。
【請求項６】
前記人状態表示部は、前記対象者によって入力された、前記対象者が体感する状態の正解値を示す画像をさらに表示する、
請求項２に従属する請求項５に記載の人状態推定モジュール。
【請求項７】
前記人状態推定部によって推定された前記人状態は、順序尺度以上の情報を含み、
前記人状態表示部は、
前記人状態が取り得る最小値に対応する第１位置および最大値に対応する第２位置を連続的または断続的に繋ぐ基準図形と、
前記基準図形において、推定された人状態に対応する位置を指し示す推定人状態指示表示と、
前記基準図形において、前記対象者によって入力された前記正解値に対応する位置を指し示す入力人状態指示表示と、を示す画像を表示する、
請求項６に記載の人状態推定モジュール。
【請求項８】
さらに、前記対象者によって入力された、前記個人に特有の情報に基づき、前記対象者が体感する状態の傾向を示す人状態推定特性を表示する人状態推定特性表示部を備える、
請求項２に記載の人状態推定モジュール。
【請求項９】
マトリクス状の温度分布を示す熱画像を取得する熱画像取得部をさらに備える請求項１〜８のいずれか一項に記載の人状態推定モジュールを用いて、前記人状態として、前記対象者が体感する温冷感覚である温冷感の推定を行う、
温冷感推定モジュール。
【請求項１０】
請求項１〜８のいずれか一項に記載の人状態推定モジュールの制御に用いられるユーザインタフェース装置であって、
前記対象者により入力される、前記個人の特性情報、前記個人の好みに関する情報、および前記個人が体感する状態の正解値のうち少なくとも１つを含む前記個人に特有の情報を受け付け、前記個人情報保持部に記憶させる個人情報入力部を備える、
ユーザインタフェース装置。
【発明の詳細な説明】
【技術分野】
【０００１】
本開示は、機器等の制御に用いるための対象者の体感する状態を推定する人状態推定モジュールおよび温冷感推定モジュール、ならびに当該モジュールに用いられるユーザインタフェース装置に関する。
【背景技術】
【０００２】
従来、人の状態をセンサにより検知し、検知結果を用いて機器等の制御を行うことで、検知の対象者に合わせた適切な機器等の制御を行うことが提案されている。例えば、特許文献１には、熱画像センサを用い、対象者であるユーザの活動量に応じて空気調和装置の温度や風量等のパラメータ調整を行うことが開示されている。
【先行技術文献】
【特許文献】
【０００３】
【特許文献１】特開２０１８−０７７２５６号公報
【発明の概要】
【発明が解決しようとする課題】
【０００４】
しかしながら、上記の特許文献１に開示された空気調和装置のパラメータ調整では、対象者が求める機器の制御と、調整されたパラメータによる機器の制御との間に乖離が生じる場合がある。そこで、本開示では、対象者が求める機器の制御を精度よく実施するための人状態を推定する人状態推定モジュール等を提供する。
【課題を解決するための手段】
【０００５】
上記課題を解決するために、本開示の一態様に係る人状態推定モジュールは、対象者の体感する状態である人状態を推定するための人状態推定モジュールであって、個人と、前記個人に特有の情報とを紐づけて記憶する個人情報保持部と、前記人状態の推定を行う人状態推定部と、前記個人情報保持部に記憶された前記個人の中から、前記対象者を示す前記個人を特定することにより、前記対象者と、前記個人および前記個人に特有の情報とを対応付ける個人特定部と、を備え、前記人状態推定部は、前記個人特定部により前記対象者に対応付けられた前記個人および前記個人に特有の情報に基づき前記人状態の推定を行う。
【０００６】
また、本開示の一態様に係る温冷感推定モジュールは、マトリクス状の温度分布を示す熱画像を取得する熱画像取得部をさらに備える上記に記載の人状態推定モジュールを用いて、前記人状態として、前記対象者が体感する温冷感覚である温冷感の推定を行う。
【０００７】
また、本開示の一態様に係るユーザインタフェース装置は、上記に記載の人状態推定モジュールの制御に用いられるユーザインタフェース装置であって、前記対象者により入力される、前記個人の特性情報、前記個人の好みに関する情報、および前記個人が体感する状態の正解値のうち少なくとも１つを含む前記個人に特有の情報を受け付け、前記個人情報保持部に記憶させる個人情報入力部を備える。
【発明の効果】
【０００８】
本開示によれば、対象者が求める機器の制御を精度よく実施するための人状態が推定される。
【図面の簡単な説明】
【０００９】
【図１】図１は、実施の形態に係る人状態推定モジュールの概略構成図である。
【図２】図２は、実施の形態に係る人状態推定モジュールの機能ブロック図である。
【図３】図３は、実施の形態に係るインタフェース部の外観を示す斜視図である。
【図４】図４は、実施の形態に係る対象人選択部の操作を説明する図である。
【図５】図５は、実施の形態に係る個人特定部の操作を説明する図である。
【図６】図６は、実施の形態に係る個人情報入力部の操作を説明する図である。
【図７Ａ】図７Ａは、変形例１に係るインタフェース部の外観を示す第１の斜視図である。
【図７Ｂ】図７Ｂは、変形例１に係るインタフェース部の外観を示す第２の斜視図である。
【図７Ｃ】図７Ｃは、変形例１に係るインタフェース部の外観を示す第３の斜視図である。
【図８】図８は、変形例２に係るインタフェース部の外観を示す斜視図である。
【図９Ａ】図９Ａは、変形例２に係る画像の表示例１を説明する図である。
【図９Ｂ】図９Ｂは、変形例２に係る画像の表示例２を説明する図である。
【図１０Ａ】図１０Ａは、変形例２に係る画像の表示例３ａを説明する図である。
【図１０Ｂ】図１０Ｂは、変形例２に係る画像の表示例３ｂを説明する図である。
【図１０Ｃ】図１０Ｃは、変形例２に係る画像の表示例３ｃを説明する図である。
【図１０Ｄ】図１０Ｄは、変形例２に係る画像の表示例３ｄを説明する図である。
【図１１Ａ】図１１Ａは、変形例２に係る画像の表示例４を説明する図である。
【図１１Ｂ】図１１Ｂは、変形例２に係る画像の表示例５を説明する図である。
【図１２】図１２は、実施の形態に係る対象者の入力に基づく人状態推定特性について説明する図である。
【図１３】図１３は、実施の形態に係る人状態推定特性の分類について説明する図である。
【図１４】図１４は、実施の形態に係る人状態推定モジュールの動作を説明する第１のフローチャートである。
【図１５】図１５は、実施の形態に係る人状態推定モジュールの動作を説明する第２のフローチャートである。
【図１６】図１６は、実施の形態に係る人状態推定モジュールの動作を説明する第３のフローチャートである。
【図１７】図１７は、実施の形態に係る人状態推定モジュールの動作を説明する第４のフローチャートである。
【発明を実施するための形態】
【００１０】
（本開示の概要）
従来、人の体感する状態である人状態を推定する人状態推定モジュールの一例として、例えば、人の体感する温冷感を推定する温冷感推定モジュール等が用いられている。このような従来の温冷感推定モジュールは、温冷感をもとに空気調和装置等を制御し、室内の空調制御を行うために使用される。なお、以下で説明されるモジュールとは、特定の機能を実現するために一以上の装置等によって構成されるシステムである。
【００１１】
推定された温冷感は、空調制御を行うためのパラメータとして温冷感推定モジュールおよび空気調和装置間の機器内部で利用されるのが一般的である。このため、空気調和装置のユーザである、温冷感推定の対象者は、推定された自身の温冷感を知ることはなく、温冷感が自身の感覚に一致しているのかどうかを確認することはできない。つまり、暑がりまたは寒がりといった対象者自身の好み等を反映させた空調制御等を行うことも困難であった。
【００１２】
本開示によれば、対象者に対して、現在推定されている人状態を提示し、推定された人状態に対する対象者からの入力等を受け付けることにより、対象者の好み等を反映させた機器の制御等の実現を可能にする。言い換えると、入力された情報を用い、個人の感覚および好み等を反映させた人状態推定が可能となる。
【００１３】
上記課題を解決するための、本開示の一態様に係る人状態推定モジュールは、対象者の体感する状態である人状態を推定するための人状態推定モジュールであって、個人と、個人に特有の情報とを紐づけて記憶する個人情報保持部と、人状態の推定を行う人状態推定部と、個人情報保持部に記憶された個人の中から、対象者を示す個人を特定することにより、対象者と、個人および個人に特有の情報とを対応付ける個人特定部と、を備え、人状態推定部は、個人特定部により対象者に対応付けられた個人および個人に特有の情報に基づき人状態の推定を行う。
【００１４】
これによれば、人状態推定モジュールは、個人情報保持部に記憶された情報の中から、対象者がどの個人であるかを特定することができる。特定された個人に紐づけられた個人に特有の情報を基にして、人状態推定モジュールは、対象者の人状態を推定する。言い換えると、対象者の人状態を推定する際に、個人に特有の情報を加味して、個人に合わせて補正された人状態の推定を行うことができる。よって、上記態様において推定された人状態を用いることにより、対象者が求める機器の制御を精度よく実施することができる。
【００１５】
また、個人に特有の情報は、個人の特性情報、個人の好みに関する情報、および個人が体感する状態の正解値のうち少なくとも１つを含み、人状態推定モジュールは、さらに、対象者が入力する個人に特有の情報を受け付けて個人情報保持部に記憶させる個人情報入力部を備え、個人特定部は、対象者と、個人情報保持部に記憶された個人および個人に特有の情報とを対応付けてもよい。
【００１６】
これによれば、個人の特性情報、個人の好みに関する情報、および個人が体感する状態の正解値のうち少なくとも１つを含む個人に特有の情報を対象者が入力し、個人情報保持部に記憶させることができる。人状態推定モジュールは、個人情報保持部に記憶された個人に特有の情報を基にして、個人の特性情報、個人の好みに関する情報、および個人が体感する状態の正解値の少なくともいずれかに合わせて補正された人状態の推定を行うことができる。よって、上記態様において推定された人状態を用いることにより、対象者が求める機器の制御を精度よく実施することができる。
【００１７】
また、さらに、対象人選択部を備え、個人情報入力部により個人および個人に特有の情報の入力が受け付けられる対象者は、対象人選択部により、複数の対象者のうちから選択された一の対象者であってもよい。
【００１８】
これによれば、人状態推定モジュールが人状態を推定する際の検知範囲に複数の対象者が存在する場合に、複数の対象者の中から一の対象者を選択することができる。選択された対象者ごとに個人に特有の情報を入力することができるため、複数の対象者が存在する場合においてもそれぞれの対象者に合わせて人状態を推定することができる。よって、複数の対象者が存在する場合においても複数の対象者のそれぞれにおいて推定された個々の人状態を用いることにより、それぞれの対象者が求める機器の制御を精度よく実施することができる。
【００１９】
また、さらに、対象者の画像を取得する画像取得部を備え、個人特定部は、取得された画像を用いて対象者と、個人情報保持部に記憶されている個人および個人に特有の情報とを対応付けてもよい。
【００２０】
これによれば、人状態推定モジュールは、画像認識により、自動的に個人情報保持部に記憶された情報の中から、対象者がどの個人であるかを特定することができる。よって、対象者と個人との対応付けを自動で行うことができ、個人に特有の情報を加味した、個人に合わせて補正された人状態の推定を簡便に行うことができる。
【００２１】
また、さらに、画像取得部によって取得された画像を表示するカメラ画像表示部と、人状態推定部によって推定された人状態を示す画像を表示する人状態表示部と、を備え、人状態表示部は、カメラ画像表示部により表示されている画像のうち、対象者を含む所定の範囲が表示されている領域に、人状態を示す画像の少なくとも一部を重畳させて表示してもよい。
【００２２】
これによれば、対象者は、どの対象者がどのような人状態であるかを、画像を視認するだけで確認できる。よって、人状態推定モジュールを使用する際の、対象者の使用容易性が向上する。
【００２３】
また、人状態表示部は、対象者によって入力された、対象者が体感する状態の正解値を示す画像をさらに表示してもよい。
【００２４】
これによれば、推定された人状態と、対象者が実際に体感する状態である正解値とを同一画面上で見比べることができる。よって、対象者は、直感的な操作により人状態を補正するための、実際に体感する状態の正解値を入力することができ、人状態推定モジュールを使用する際の、対象者の使用容易性が向上する。
【００２５】
また、人状態推定部によって推定された人状態は、順序尺度以上の情報を含み、人状態表示部は、人状態が取り得る最小値に対応する第１位置および最大値に対応する第２位置を連続的または断続的に繋ぐ基準図形と、基準図形において、推定された人状態に対応する位置を指し示す推定人状態指示表示と、基準図形において、対象者によって入力された正解値に対応する位置を指し示す入力人状態指示表示と、を示す画像を表示してもよい。
【００２６】
これによれば、図形によって表示された、推定された人状態と、対象者が実際に体感する状態である正解値とを同一画面上で見比べることができる。よって、対象者は、さらに直感的な操作により人状態を補正するための、実際に体感する状態の正解値を入力することができ、人状態推定モジュールを使用する際の、対象者の使用容易性が向上する。
【００２７】
また、さらに、対象者によって入力された、個人に特有の情報に基づき、対象者における人状態の傾向を示す人状態推定特性を表示する人状態推定特性表示部を備えてもよい。
【００２８】
これによれば、これにより、対象者は、ある環境において自身がどのような人状態をとり得るのか、傾向として把握することができる。よって、対象者は、機器等の制御が、自身の傾向に基づいているのか否かを容易に判別でき、対象者が求める機器の制御を精度よく実施するための人状態を推定することができる。
【００２９】
また、本開示の一態様に係る温冷感推定モジュールは、マトリクス状の温度分布を示す熱画像を取得する熱画像取得部をさらに備える上記いずれかに記載の人状態推定モジュールを用いて、人状態として、対象者が体感する温冷感覚である温冷感の推定を行ってもよい。
【００３０】
これによれば、人状態として温冷感を推定する温冷感推定モジュールを実現でき、当該温冷感推定モジュールにより対象者の温冷感がより精度よく推定される。よって、対象者が求める機器の制御を精度よく実施するための温冷感を推定することができる。
【００３１】
また、本開示の一態様に係るユーザインタフェース装置は、上記いずれか一項に記載の人状態推定モジュールの制御に用いられるユーザインタフェース装置であって、対象者により入力される、個人の特性情報、個人の好みに関する情報、および個人が体感する状態の正解値のうち少なくとも１つを含む個人に特有の情報を受け付け、個人情報保持部に記憶させる個人情報入力部を備える。
【００３２】
これによれば、個人の特性情報、個人の好みに関する情報、および個人が体感する状態の正解値のうち少なくとも１つを含む個人に特有の情報を対象者が入力し、個人情報保持部に記憶させることができる。人状態推定モジュールは、個人情報保持部に記憶された個人に特有の情報を基にして、個人の特性情報、個人の好みに関する情報、および個人が体感する状態の正解値の少なくともいずれかに合わせて補正された人状態の推定を行うことができる。よって、上記態様において推定された人状態を用いることにより、対象者が求める機器の制御を精度よく実施することができる。
【００３３】
以下、本開示の実施の形態について、図面を参照して説明する。なお、以下に説明する実施の形態は、いずれも本開示の包括的または具体的な例を示すものである。したがって、以下の実施の形態で示される、数値、構成要素、構成要素の配置位置および接続形態、並びに、ステップおよびステップの順序等は、一例であって本開示を限定する主旨ではない。よって、以下の実施の形態における構成要素のうち、本開示の最上位概念を示す独立請求項に記載されていない構成要素については、任意の構成要素として説明される。
【００３４】
また、各図は、模式図であり、必ずしも厳密に図示されたものではない。したがって、各図において縮尺などは必ずしも一致していない。各図において、実質的に同一の構成に対しては同一の符号を付しており、重複する説明は省略または簡略化する。
【００３５】
（実施の形態）
［人状態推定モジュール］
まず、実施の形態に係る人状態推定モジュールの装置構成について図１および図２を用いて説明する。図１は、実施の形態に係る人状態推定モジュールの概略構成図である。また、図２は、実施の形態に係る人状態推定モジュールの機能ブロック図である。
【００３６】
本実施の形態における人状態推定モジュール１００は、対象者の体感する状態である人状態を推定するための装置である。以降の実施の形態の説明においては、人状態推定モジュール１００として、室内１０に設置された空気調和装置１０１の制御に用いられる人状態推定モジュール１００の一例について説明する。より詳しくは、本実施の形態における人状態推定モジュールは、人状態として、対象者が体感する温冷感覚である温冷感を推定するための温冷感推定モジュールであるものとして説明する。
【００３７】
図１および図２に示すように、人状態推定モジュール１００は、インタフェース部１２０と、センシング部１４０と、演算処理部１６０とを備える。より具体的には、図１に示すように、インタフェース部１２０は、空気調和装置１０１のリモートコントローラに備えられる。また、センシング部１４０は、空気調和装置１０１の本体に内蔵され、空気調和装置１０１が設置された室内１０を検知する。また、演算処理部１６０は、人状態推定モジュール１００における情報処理を行うための処理装置であり、一例として、インタフェース部１２０およびセンシング部１４０と通信を介して接続可能なネットワーク上のクラウドサーバとして実現される。
【００３８】
なお、以上の構成は一例であり、インタフェース部１２０と、演算処理部１６０とが、空気調和装置１０１に内蔵されてもよい。つまり、人状態推定モジュール１００は、インタフェース部１２０とセンシング部１４０と、演算処理部１６０とが一体化された１つの装置として実現されてもよい。また、これらの構成要素の一部、もしくは機能の一部が、さらに、別の装置に備えられてもよい。
【００３９】
図２に示すように、本実施の形態における人状態推定モジュール１００が備える、インタフェース部１２０と、センシング部１４０と、演算処理部１６０とのそれぞれは、通信可能に接続されている。以下、各構成要素について、より詳しく説明する。
【００４０】
［インタフェース部］
インタフェース部１２０は、人状態推定モジュール１００に対する、対象者からの指示等を受け付けるユーザインタフェース装置である。インタフェース部１２０は、対象者から受け付けた指示等に基づき、人状態推定モジュール１００を制御する。インタフェース部１２０は、さらに詳しくは、カメラ画像表示部１２１、人状態表示部１２３、人状態推定特性表示部１２４、個人特定部１２５、個人情報入力部１２７、および対象人選択部１２９を備える。
【００４１】
カメラ画像表示部１２１は、後述する画像取得部１４１によって取得された室内１０が撮像された画像を表示する装置である。カメラ画像表示部１２１は、画像処理のための演算回路と、処理された画像を表示する表示装置とを備える。表示装置は具体的には、空気調和装置１０１のリモートコントローラに搭載された液晶表示パネルである。
【００４２】
人状態表示部１２３は、後述する人状態推定部１６１によって推定された対象者の人状態を示す画像を表示する装置である。人状態表示部１２３は、カメラ画像表示部１２１において表示される画像に対して、対象者の人状態を重畳させる処理を行う処理装置である。したがって、人状態表示部１２３は、画像処理を行うための演算回路を備える。人状態表示部１２３は、演算回路を用いて生成した画像を、カメラ画像表示部１２１の演算回路に送信し、カメラ画像表示部１２１が表示する画像に対象者の人状態を重畳させる。
【００４３】
人状態推定特性表示部１２４は、対象者が入力した情報に基づき、対象者における人状態の傾向を示す人状態推定特性を表示する装置である。人状態推定特性表示部１２４は、カメラ画像表示部１２１に備えられた表示装置に対して、室内１０が撮像された画像に代えて、人状態推定特性を示す特性画像を表示させる装置である。人状態推定特性表示部１２４は、画像処理を行うための演算回路を備える。人状態推定特性表示部１２４は、演算回路において生成された画像を、カメラ画像表示部１２１に備えられた表示装置に割り込ませることにより表示させる。なお、人状態推定特性表示部１２４によって生成される特性画像および人状態推定特性の内容については、図１２および図１３を用いて後述する。
【００４４】
個人特定部１２５は、対象者を示す個人を特定するための入力装置である。より詳しくは、個人特定部１２５は、後述する個人情報保持部１６３に記憶されている複数の個人の中から対象者に対応する個人を特定するための装置である。個人特定部１２５は、入力装置、および表示装置に画像を表示させる装置を備える。一例として、本実施の形態における個人特定部１２５は、入力装置として対象者による入力を受け付ける押圧式のスイッチを有する。また、個人特定部１２５は、表示装置に表示させる画像を生成するための演算回路を備える。個人特定部１２５は、スイッチを押圧されるごとに、室内１０が撮像された画像中に、個人情報保持部１６３に記憶されている複数の個人を順に表示する。つまり、スイッチを用いて入力を行い、対象者自身が、対象者に対応する個人を選択することができる。
【００４５】
個人情報入力部１２７は、個人に特有の情報の入力を受け付けて後述する個人情報保持部１６３に記憶させる入力装置である。
【００４６】
ここで、個人に特有の情報とは、人状態推定モジュールを用いて推定される人状態に関連する個人ごとの情報である。個人に特有の情報として、例えば、個人ごとにおける、外的環境に対して個人がどのような感覚を得やすいか（つまり、どのような人状態をとりやすいか）を示す個人の特性情報が含まれてもよい。また、個人に特有の情報として、例えば、個人ごとの嗜好（つまり、どのような人状態となることを好むか）を示す個人の好みに関する情報が含まれてもよい。また、個人に特有の情報として、例えば、個人ごとにおける、人情報に対応して個人が実際に体感している正解値（つまり、推定される人状態に対応する実際の人状態）の情報が含まれてもよい。
【００４７】
個人情報入力部１２７は、入力装置、および表示装置に画像を表示させる装置を備える。一例として、本実施の形態における個人情報入力部１２７は、入力装置として対象者による入力を受け付ける押圧式のスイッチを有する。また、個人情報入力部１２７は、表示装置に表示させる画像を生成するための演算回路を備える。個人情報入力部１２７は、スイッチを押圧されるごとに、室内１０が撮像された画像中に、個人に特有の情報として対象者が選択し得る候補選択肢を順に表示する。つまり、スイッチを用いて入力を行い、対象者自身が、対象者に対応する個人に特有の情報を選択することができる。
【００４８】
選択された個人に特有の情報は、通信を介してインタフェース部１２０と接続された個人情報保持部１６３へと送信され、個人情報保持部１６３において記憶される。なお、個人情報入力部１２７による入力の前に、対象者は、個人特定部１２５への入力を完了しておく。これによれば、対象者に対応する個人による個人に特有の情報が個人情報保持部１６３へと送信される。したがって、個人と、個人に特有の情報とが紐づけられて記憶される。
【００４９】
対象人選択部１２９は、室内１０において複数の人が存在し、各々が人状態推定モジュール１００による人状態推定の対象者となり得る場合に、複数の人の中から対象者を選択するための入力装置である。より詳しくは、対象人選択部１２９は、カメラ画像表示部１２１により表示されている室内１０が撮像された画像中の人から、前述した個人特定部１２５による個人の特定を行うための対象者の選択に使用される。対象人選択部１２９は、入力装置、および表示装置に画像を表示させる装置を備える。一例として、本実施の形態における対象人選択部１２９は、入力装置として対象者による入力を受け付ける押圧式のスイッチを有する。また、対象人選択部１２９は、表示装置に表示させる画像を生成するための演算回路を備える。
【００５０】
対象人選択部１２９は、室内１０が撮像された画像について画像認識により、画像中の人を抽出する。その後、対象人選択部１２９は、室内１０が撮像された画像中の抽出された人のうちの一人にカーソルを表示する。対象人選択部１２９は、スイッチを押圧されるごとに、抽出された人のすべてについて一人ずつ順にカーソルを移動する。
【００５１】
［センシング部］
センシング部１４０は、人状態の推定および空気調和装置１０１の制御に用いるための種々の検知を行うセンサ装置である。センシング部１４０は、本実施の形態においては、画像取得部１４１および熱画像取得部１４３を備える。
【００５２】
画像取得部１４１は、室内１０を撮像することにより対象者の画像を取得する撮像装置である。当該画像は、つまり、インタフェース部１２０のカメラ画像表示部１２１において表示される画像である。画像取得部１４１は、一例としてカメラによって実現される。
画像取得部１４１によって取得された画像は、通信を介してインタフェース部１２０に送信されることにより、インタフェース部１２０によって実現される各種機能に用いられる。なお、取得された画像は、通信を介して演算処理部１６０に送信されることにより、演算処理部１６０において実現される各種機能に用いられてもよい。
【００５３】
熱画像取得部１４３は、熱画像を取得するための撮像装置である。熱画像は、撮像された二次元面を格子状に区切った場合の各格子の温度をスケール表示した画像である。つまり、熱画像は、マトリクス状の温度分布を示すサーモグラムである。したがって、熱画像取得部１４３は、各格子に対応する赤外線を測定するサーモカメラによって実現される。熱画像取得部１４３によって取得された画像は、通信を介してインタフェース部１２０に送信されることにより、インタフェース部１２０によって実現される各種機能に用いられる。なお、取得された熱画像は、通信を介して演算処理部１６０に送信されることにより、演算処理部１６０において実現される各種機能に用いられてもよい。
【００５４】
［演算処理部］
演算処理部１６０は、人状態推定モジュール１００における人状態推定等の情報処理機能を有する処理装置である。演算処理部１６０は、また、各種情報を記憶するデータベース機能を有していてもよい。本実施の形態における演算処理部１６０は、ネットワーク上のクラウドサーバとして実現される。したがって、インタフェース部１２０およびセンシング部１４０は、ネットワークを介して各種情報をクラウドサーバへと送信し、クラウドサーバ上で処理された情報を受信することにより、人状態推定モジュール１００の各種機能を実現する。本実施の形態における演算処理部１６０は、人状態推定部１６１、個人情報保持部１６３、および人状態推定補正部１６５を備える。
【００５５】
人状態推定部１６１は、人状態の推定を行う処理装置である。より具体的には、人状態の一例として、人状態推定部１６１は、熱画像取得部１４３において取得された熱画像から対象者の温冷感を推定する。したがって、人状態推定部１６１は、熱画像を受信するために、熱画像取得部１４３と通信を介して接続されている。人状態推定部１６１は、熱画像から得られる対象者を取り巻く周囲の環境温度と、対象者自身の体温度とを用いて、これらの温度差を基に、対象者から周囲へと放熱される推定放熱量を推定する。さらに、人状態推定部１６１は、推定放熱量から対象者における温冷感の推定を行う。また、人状態推定部１６１は、推定された温冷感を送信してインタフェース部１２０の画面１２１ａに表示させるために、インタフェース部１２０と通信を介して接続されている。
【００５６】
個人情報保持部１６３は、個人と、個人に特有の情報とを紐づけて記憶する記憶装置である。個人情報保持部１６３は、これらの情報を記憶するためにＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）等を用いて構成される。また、個人情報保持部１６３には、通信を介して各装置が接続可能である。各装置は、個人情報保持部１６３に情報を記憶させる、または、個人情報保持部１６３に記憶させた情報を取得する（読み出す）ために個人情報保持部１６３に接続される。
【００５７】
人状態推定補正部１６５は、推定された人状態と、記憶された個人に特有の情報とを用いて、推定された人状態を補正する処理装置である。したがって、人状態推定部１６１と人状態推定補正部１６５とは、一体的に動作する１つの処理装置として実現されてもよい。
【００５８】
なお、上記の各機能はそれぞれ個別のサーバにおいて実現されてもよく、一体的なサーバで実現されてもよい。さらに、上記の各機能のうち一部の機能さらに分割して処理するサーバを設けてもよい。
【００５９】
以下、インタフェース部１２０について、より詳細に説明する。
【００６０】
図３は、実施の形態に係るインタフェース部の外観を示す斜視図である。図３に示すように、インタフェース部１２０は、例えば、画面１２１ａと複数のスイッチとを備える。画面１２１ａは、カメラ画像表示部１２１が備える表示装置の一例である。したがって、インタフェース部１２０の画面１２１ａには、画像取得部１４１において取得された画像が表示される。画像は、空気調和装置１０１のセンシング部１４０から室内１０が撮像された画像構成である。
【００６１】
例えば、図に示すように、画像には、室内１０に存在する第１の人２１、および第２の人２３が示されている。なお、画面１２１ａには、熱画像取得部１４３において取得された熱画像が表示されてもよい。さらに、画像認識により画像上において存在する１以上の人を識別する。その後、識別された１以上の人のうちの１人が選択され、画面１２１ａに１人を選択するカーソル２５が表示される。カーソル２５は、１以上の人のうちの１人が選択されていることを示すために当該１人を囲んで示す矩形の画像情報である。また、カーソル２５に囲まれることにより選択された対象者の名前と、人状態推定モジュールによって推定された人状態が表示される。例えば、図中では、第１の人２１をカーソル２５が囲んでおり、第１の人２１が選択されている様子が示されている。また、第１の人２１の名前として「Ｈｕｍａｎ  Ａ」、第１の人２１の人状態として温冷感である「Ｃｏｏｌ」が表示されている。
【００６２】
ここで、対象者が個人として個人情報保持部１６３に記憶されていない場合、対象者に対応する個人の名前の初期値として「Ｈｕｍａｎ  Ａ」が付与される。図に示すように複数の人が室内１０に存在し、各々が人状態推定モジュール１００による人状態推定の対象者となり得る場合に、「Ｈｕｍａｎ  Ａ」が付与済みであれば、「Ｈｕｍａｎ  Ｂ」等の、連続する記号箇所を変更した新たな個人の名前を付与すればよい。また、対象者が記憶済みの対象者であった場合、記憶済みの個人の名前を表示してもよい。例えば、記憶番号１番の対象者であった場合、「Ｕｓｅｒ  １」と表示してもよい。なお、個人の名前の記憶については、任意の名前が記憶されてもよい。例えば、「Ｔａｒｏ」等の対象者の氏名等が記憶されてもよい。
【００６３】
インタフェース部１２０が備える複数のスイッチは、例えば、個人特定部１２５、個人情報入力部１２７、対象人選択部１２９により構成される。したがって、インタフェース部１２０の複数のスイッチを対象者が押圧することにより、人状態推定モジュール１００の各動作が実行される。
【００６４】
図４は、実施の形態に係る対象人選択部の操作を説明する図である。図４の（ａ）は、対象人選択部１２９を操作する前を示している。また、図４の（ｂ）は、対象人選択部１２９を操作した後を示している。図中にハッチングで示された対象人選択部１２９は、前述したように、操作することによって複数の人の中から対象者を選択するための入力装置である。
【００６５】
したがって、対象者は、自身に対応する人を選択するため、対象人選択部１２９を操作する。対象人選択部１２９は、一例として左右方向を示す二つのスイッチを備える。対象者が、二つのスイッチのうちいずれかを操作すると、画像上において、操作したスイッチが示す左右方向のいずれかに表示されている別の人にカーソル２５が移動する。図中では、対象人選択部１２９の操作の前後において、第１の人２１を選択するカーソル２５が、第２の人２３を選択するカーソル２７へと変化している。
【００６６】
以上のようにして、室内１０に複数の対象者が存在する場合に、対象者は、対象人選択部により、複数の対象者のうちから選択された一の対象者を自身に対応する対象者として選択することができる。なお、室内１０に対象者が一人しかいない場合には、対象人選択部１２９の操作は省略されてもよい。
【００６７】
図５は、実施の形態に係る個人特定部の操作を説明する図である。図５の（ａ）は、個人特定部１２５を操作する前を示している。また、図５の（ｂ）は、個人特定部１２５を操作した後を示している。図中にハッチングで示された個人特定部１２５は、前述したように、操作することによって対象者を示す個人を特定するための入力装置である。
【００６８】
したがって、対象者は、自身に対応する個人の情報を、個人情報保持部１６３から取得するため、個人特定部１２５を操作する。個人特定部１２５は、一例として上下方向を示す二つのスイッチを備える。対象者が、二つのスイッチのうちいずれかを操作すると、画像上において、記憶されている個人の名前が順に表示される。図中では、対象人選択部１２９の操作の前後において、第１の人２１に対応する記憶されている個人の名前が「Ｕｓｅｒ  １」から「Ｕｓｅｒ  ２」へと変更されている。つまり、第１の人２１は、「Ｕｓｅｒ  ２」の名前で記憶されている個人である。
【００６９】
以上のようにして、対象者は、個人特定部により個人情報保持部１６３に記憶された複数の個人の中から、対象者を示す個人を特定し、個人の情報を取得することができる。
【００７０】
ここで、個人の情報は、個人情報保持部１６３に記憶された個人に関する情報であり、個人と、個人に特有の情報とが含まれる。なお、個人の情報に個人の顔の画像情報が含まれてもよい。これによれば、画像取得部１４１において取得された室内１０の画像における対象者の顔を認識することにより、自動的に個人情報保持部１６３に記憶された個人を特定し、個人に関する情報を取得できる。
【００７１】
図６は、実施の形態に係る個人情報入力部の操作を説明する図である。図６の（ａ）は、個人情報入力部１２７を操作する前を示している。また、図６の（ｂ）は、個人情報入力部１２７を操作した後を示している。図中にハッチングで示された個人情報入力部１２７は、前述したように、操作することによって個人に特有の情報の入力を受け付けて個人情報保持部１６３に記憶させる入力装置である。
【００７２】
したがって、対象者は、個人に特有の情報を入力し、個人情報保持部１６３に記憶させるため、個人情報入力部１２７を操作する。個人情報入力部１２７は、一例として一つのスイッチを備える。対象者が、一つのスイッチを操作すると、画像上において人がとり得る人状態が順に表示される。図中では、個人情報入力部１２７の操作の前後において、第１の人２１に対応する人状態が温冷感の「Ｃｏｏｌ」から「Ｎｅｕｔｒａｌ」へと変更されている。つまり、対象者である第１の人２１は、温冷感が「Ｃｏｏｌ」の状態であると推定されたが、実際には、第１の人２１は、温冷感が「Ｎｅｕｔｒａｌ」の状態であったため、対象者による人状態（温冷感）の補正が行われたことを示している。
【００７３】
補正された人状態の情報（つまり個人に特有の情報）は、空気調和装置１０１の制御情報とともに個人情報保持部１６３へと送信され、個人の情報の一部として記憶される。これにより、人状態推定モジュール１００は、補正された個人に特有の情報に基づき、人状態の推定を実施することができる。
【００７４】
［インタフェース部の変形例１］
ここで、さらに、インタフェース部１２０の変形例１について図７Ａ〜図７Ｃを用いて説明する。なお、以降の変形例の説明については、実施の形態と異なる箇所について説明し、実施の形態と実質的に同一の箇所については、省略または簡略化して説明する。
【００７５】
図７Ａは、変形例１に係るインタフェース部の外観を示す第１の斜視図である。また、図７Ｂは、変形例１に係るインタフェース部の外観を示す第２の斜視図である。また、図７Ｃは、変形例１に係るインタフェース部の外観を示す第３の斜視図である。
【００７６】
図７Ａに示すように本変形例におけるインタフェース部１２０ａは、画面１２１ａに加えて、サブ画面１２３ａを備える点で実施の形態と異なっている。サブ画面１２３ａは、上記実施の形態において画面１２１ａに表示される画像に対して重畳され表示されていた情報を個別に表示するための表示装置である。例えば、サブ画面１２３ａには、個人の名前および推定された人状態等の文字情報が表示されてもよい。また、サブ画面１２３ａは、大きさにも特に制限はない。サブ画面１２３ａには、複数の対象者のうち、対象人選択部１２９によって選択されている人の画像をトリミングした画像が表示されてもよい。また、サブ画面１２３ａには、人状態推定特性を示す特性画像が表示されてもよい。
【００７７】
一例として、図中の画面１２１ａには、カーソル２５によって第１の人２１が選択されていることが示されている。また、図中のサブ画面１２３ａには、第１の人２１が「Ｕｓｅｒ  １」として記憶され、温冷感として「Ｃｏｏｌ」の状態であることが推定されている。対象者は、複数のスイッチを任意に操作して人状態推定モジュール１００への入力を行う。
【００７８】
図７Ｂに示すように、例えば、サブ画面１２３ａには、「Ｕｓｅｒ  １」に代えて「Ｔａｒｏ」等の記憶されている対象者の氏名等が表示されてもよい。
【００７９】
図７Ｃに示すように、例えば、インタフェース部１２０ｂは、個人特定部１２５を備えなくてもよい。前述した画像取得部１４１において取得された室内１０の画像における対象者の顔を認識することにより、自動的に個人情報保持部１６３に記憶された個人を特定し、個人に関する情報を取得する構成においては、個人特定部１２５による操作が不要である。個人特定部１２５を備えないことにより、対象者が、インタフェース部１２０ｂを用いて人状態推定モジュール１００を操作する際の煩雑さが低減され、より利便性の高い人状態推定モジュール１００が実現できる。
【００８０】
［インタフェース部の変形例２］
以下では、さらに、インタフェース部１２０の変形例２について図８を用いて説明する。図８は、変形例２に係るインタフェース部の外観を示す斜視図である。図８の（ａ）は、対象人選択部１２９に対応する操作を示す図である。また、図８の（ｂ）は、個人特定部１２５および個人情報入力部１２７に対応する操作を示す図である。
【００８１】
図８に示すように、本変形例におけるインタフェース部１２０ｃは、タッチパネル１２１ｂのみを備える。したがってインタフェース部１２０ｃは、複数のスイッチを有さなくてもよい。これにより、操作者による直感的な操作が可能となり、インタフェース部１２０ｃの操作性が向上する。また、インタフェース部１２０ｃの装置構成が簡略化される。スイッチ等の物理的入力装置では、可動部分の摩耗に弱い場合があり、長期的な使用においては耐久性が重要となるが、タッチパネル１２１ｂを備えることで、比較的安価に高耐久性が実現できる。
【００８２】
図８の（ａ）に示すように、本変形例においては、対象者は自身の手３０を用いてタッチパネル１２１ｂに触れることでインタフェース部１２０ｃへの入力を行う。例えば、対象者は、手３０により、タッチパネル１２１ｂに表示された画像中の自身（ここでは、第１の人２１）に対応する箇所に触れる。すると、カーソル２５が表示され、図３の画面１２１ａに表示されている画像と同様の画像が表示される。さらに、対象者は、手３０により、タッチパネル１２１ｂの上記と同じ箇所に素早く２回触れる。すると、タッチパネル１２１ｂには、図８の（ｂ）に示す画像に移行する。
【００８３】
なお、図８の（ａ）から図８の（ｂ）に移行する際のタッチパネル１２１ｂの操作は、素早く２回触れることに限らず、素早く３回触れてもよく、所定の時間触れた状態を維持してもよい。また、図８の（ａ）から図８の（ｂ）に移行する際のタッチパネル１２１ｂの操作は、なくてもよい。タッチパネル１２１ｂに表示された画像中の自身に対応する箇所に触れた後、所定の時間が経過すると自動的に図８の（ｂ）の画面が表示されてもよい。
【００８４】
図８の（ｂ）に示すように、タッチパネル１２１ｂには、実施の形態における個人特定部１２５に対応する個人特定表示３３、および実施の形態における個人情報入力部１２７に対応する個人情報入力表示３１が画像中に重畳されて表示されている。
【００８５】
個人特定表示３３は、対象者を示す個人を特定するための入力領域である。個人特定表示３３には、個人情報保持部１６３に記憶されている個人の名前と、前後の候補の個人を表示させるための左右矢印とが表示されている。対象者が手３０により、左右矢印のいずれかを操作すると、画像上において表示されている、記憶されている個人の名前が順に切り替わる。
【００８６】
個人情報入力表示３１は、推定された人状態に対して、対象者が実際に体感する状態である正解値等の個人に特有の情報を入力するための入力領域である。個人情報入力表示３１には、対象者が実際に体感する状態等を指し示すための矢印型のスケールバーが表示されており、スケールバーにおける矢印の先側に向かうほど、温冷感として暑いと感じることが示されている。対象者は、手３０により、スケールバーの該当箇所を触れる、または、スケールバーに触れたまま、上下方向になぞる（スワイプする）ことにより、対象者の個人に特有の情報を入力することができる。
【００８７】
［インタフェース部の表示例］
以下では、さらに、インタフェース部１２０における画像の表示例について、図９Ａ〜図１１Ｂを用いて説明する。なお、以降の説明では、変形例２に係るインタフェース部１２０ｃのタッチパネル１２１ｂに表示されるものとして画像の例を説明するが、実施の形態、および変形例１において同様の画像が表示されてもよい。
【００８８】
図９Ａは、変形例２に係る画像の表示例１を説明する図である。図９Ａには、タッチパネル１２１ｂに第１の人２１および第２の人２３が表示され、それぞれが対象者として認識されている。また、いずれの対象者も個人の名前が記憶されておらず、第１の人２１には「Ｈｕｍａｎ  Ａ」が付与され、第２の人２３には、「Ｈｕｍａｎ  Ｂ」が付与されている。また、「Ｈｕｍａｎ  Ａ」は、推定された人状態である温冷感が「Ｃｏｏｌ」の状態であり、「Ｈｕｍａｎ  Ｂ」は、推定された人状態である温冷感が「Ｎｅｕｔｒａｌ」の状態であることが示されている。
【００８９】
ここで、図中に示すように、個人の名前および人状態は、画像中に表示された対象者に重畳して表示されている。より詳しくは、画像上における対象者を含む所定の範囲が表示されている領域に、人状態を示す画像の少なくとも一部が重畳して表示されている。これによれば、対象者は、どの対象者がどのような人状態であるかを、画像を視認するだけで確認できる。なお、所定の範囲とは、複数の対象者のうち、どの対象者に対応した人状態であるかがわかる範囲である。例えば、複数の対象者のうち、人状態を示す画像が表示されている箇所から最も近くに表示されている対象者が当該人状態に対応する対象者となる位置であればよい。
【００９０】
なお、図中に示すように、カーソル２５による選択がなくても個人の名前と、温冷感とが表示されていてもよい。対象者による入力が行われる際に、画像上のいずれの対象者に対する入力であるかを選択すればよい。
【００９１】
図９Ｂは、変形例２に係る画像の表示例２を説明する図である。図９Ｂでは、表示例１に対して、第１の人２１が実際に体感している人状態が入力されている点で異なる。より詳しくは、表示例２では、表示例１の画像に加えて、さらに、対象者によって入力された、対象者が体感する状態の正解値を示す画像が表示されている。
【００９２】
図中では、第１の人２１である「Ｈｕｍａｎ  Ａ」は、推定された人状態である温冷感が「Ｃｏｏｌ」の状態であり、実際に体感している温冷感が「Ｎｅｕｔｒａｌ」の状態であることが示されている。
【００９３】
このように、対象者が体感する状態の正解値を示す画像を併せて表示することで、対象者は、推定されている人状態と、自身で入力した、体感する状態とを一目で比較することができる。よって、より直感的に個人に特有の情報の一つである対象者が体感する状態の正解値を入力することができる。
【００９４】
以下、さらに、図１０Ａ〜図１０Ｄを用いて図８の（ｂ）に示した個人情報入力表示３１のスケールバーについて別の表示例を説明する。図１０Ａは、変形例２に係る画像の表示例３ａを説明する図である。図１０Ａの（ａ）は、画像の概観を示す図である。また、図１０Ａの（ｂ）は、スケールバー３５を拡大した図である。
【００９５】
図１０Ａの（ａ）に示すように、本表示例においては、対象者が体感している状態を入力するためのスケールバー３５が表示されている。
【００９６】
図１０Ａの（ｂ）に示すように、スケールバー３５は、取り得る温冷感として最も寒い最小値に対応する第１位置５１から、温冷感として最も暑い最大値に対応する第２位置５３を連続的に繋ぐ長尺矩形の基準図形５５を有する。
【００９７】
さらに、スケールバー３５は、基準図形５５上において、推定された人状態に対応する位置を指し示す推定人状態指示表示５７（画像上側の白抜き三角形）、および対象者によって入力された正解値に対応する位置を指し示す推定人状態指示表示５７（画像下側のハッチング三角形）が含まれる。このように、スケールバー３５による直感的な視認性の高さに加えて、推定人状態指示表示５７と入力人状態指示表示５９との対比による視認性の高さの両方を兼ね備える表示が実現できる。
【００９８】
図１０Ｂは、変形例２に係る画像の表示例３ｂを説明する図である。
【００９９】
図１０Ｂには、スケールバー３５の別の例であるスケールバー３５ｂが示されている。スケールバー３５ｂは、スケールバー３５に代えて、タッチパネル１２１ｂの画像上に表示される。スケールバー３５ｂは、基準図形５５ｂ、推定された人状態に対応する位置を指し示す推定人状態指示表示５７ｂおよび対象者によって入力された正解値に対応する位置を指し示す、入力人状態指示表示５９ｂを含む。
【０１００】
より詳しくは、基準図形５５ｂは、温冷感がとり得る最小値に対応する第１位置５１ｂと最大値に対応する第２位置５３ｂを断続的に繋ぐ図形である。また、推定人状態指示表示５７ｂは、断続的な基準図形５５ｂを目盛りとした際に、ハッチングにより塗りつぶされた目盛りの数によって示される。また、入力人状態指示表示５９ｂは、図１０Ａと同様に、画像下側のハッチング三角形によって示される。
【０１０１】
図１０Ｃは、変形例２に係る画像の表示例３ｃを説明する図である。
【０１０２】
図１０Ｃには、スケールバー３５の別の例であるスケールバー３５ｃが示されている。スケールバー３５ｃは、スケールバー３５に代えて、タッチパネル１２１ｂの画像上に表示される。スケールバー３５ｃは、基準図形５５ｃ、推定された人状態に対応する位置を指し示す推定人状態指示表示５７ｃおよび対象者によって入力された正解値に対応する位置を指し示す、入力人状態指示表示５９ｃを含む。
【０１０３】
より詳しくは、基準図形５５ｃは、温冷感がとり得る最小値に対応する第１位置５１ｃと最大値に対応する第２位置５３ｃを連続的に繋ぐ円弧形の図形である。また、推定人状態指示表示５７ｃは、基準図形５５ｃの対応する位置を指し示す白抜きの指針によって示される。また、入力人状態指示表示５９ｃは、基準図形５５ｃの対応する位置を指し示すハッチングの指針によって示される。
【０１０４】
図１０Ｄは、変形例２に係る画像の表示例３ｄを説明する図である。
【０１０５】
図１０Ｄには、スケールバー３５の別の例であるスケールバー３５ｄが示されている。スケールバー３５ｄは、スケールバー３５に代えて、タッチパネル１２１ｂの画像上に表示される。スケールバー３５ｄは、基準図形５５ｄ、推定された人状態に対応する位置を指し示す推定人状態指示表示５７ｄおよび対象者によって入力された正解値に対応する位置を指し示す、入力人状態指示表示５９ｄを含む。
【０１０６】
より詳しくは、基準図形５５ｄは、温冷感がとり得る最小値に対応する第１位置５１ｄと最大値に対応する第２位置５３ｄを連続的に繋ぐ二重円弧形の図形である。また、推定人状態指示表示５７ｄは、白抜きの基準図形５５ｄの第１位置５１ｄから対応する位置までを塗りつぶしたハッチングによって示される。また、入力人状態指示表示５９ｄは、白抜きの基準図形５５ｄの第１位置５１ｄから対応する位置までを塗りつぶしたハッチングによって示される。
【０１０７】
図１１Ａは、変形例２に係る画像の表示例４を説明する図である。
【０１０８】
図１１Ａに示す本表示例は、記憶される個人の名前を任意に登録する入力例を示している。図１１Ａに示すように、カーソル２５によって選択された第１の人２１は、「Ｔａｒｏ」であり、画像中の入力欄３７において「Ｔａ」までが入力されている。文字の入力には、対象者の手３０により、タッチパネル１２１ｂに触れる操作、及びタッチパネル１２１ｂをなぞる操作を組み合わせることにより、１文字ずつ選択して入力される。
【０１０９】
図１１Ｂは、変形例２に係る画像の表示例５を説明する図である。
【０１１０】
図１１Ｂに示す本表示例は、記憶されている個人の情報をすべて消去するためのリセット操作における画像の表示例を示している。図１１Ｂに示すように、
対象者は、手３０により、カーソル２５によって選択された第１の人２１の個人の情報を消去する際、リセットボタン４１を表示させる。これは、タッチパネル１２１ｂの操作の組み合わせによって表示されるように任意に設計される。なお、誤操作により対象者の個人の情報が消去されないよう、当該操作の組み合わせは複雑であることが望ましい。
【０１１１】
［人状態推定特性］
以下では、実施の形態において説明した、人状態推定特性表示部１２４によって表示される人状態推定特性および人状態推定特性を示す特性画像について、図１２および図１３を用いて説明する。図１２は、実施の形態に係る対象者の入力に基づく人状態推定特性について説明する図である。また、図１３は、実施の形態に係る人状態推定特性の分類について説明する図である。
【０１１２】
図１２には、対象者からの入力がなかった場合、推定線の中央部において対象者からの入力があった場合、および推定線の端部において対象者からの入力があった場合について、対象者ごとの人状態推定特性が示されている。なお、ここでは、人状態推定特性として温冷感の推定特性を例示的に用いて説明する。
【０１１３】
対象者からの入力がなかった場合、熱画像により推定される放熱量と、対象者が体感する温冷感とは比例の関係を示す。
【０１１４】
ここで、推定線の中央部において対象者からの入力があった場合には、当該中央部において、入力された方向に直線を補正する。なお、両端部（つまり、放熱量０、および放熱量最大の箇所については補正を行わず、このような３点を滑らかに結ぶ曲線を人状態推定特性（つまり特性画像）として出力する。例えば、図中に示すように、対象者が推定線の中央部において推定された温冷感よりも暑いと感じた場合、推定線は推定温冷感軸のプラス方向に凸となる曲線を示す。
【０１１５】
一方で、さらに、推定線の端部において対象者からの入力があった場合には、当該端部において入力された方向に推定線を補正する。つまり、オフセット変更により推定線全体を推定温冷感軸方向に補正する。図中では、推定線の中央部において補正があったうえで、さらに、推定線の端部において対象者からの補正があった場合の推定線を示している。
【０１１６】
このように、各個人について、入力された個人に特有の情報にしたがって補正された人状態の推定曲線を作成し、個人情報保持部１６３に記憶しておく。人状態推定モジュール１００は、個人特定部１２５によって特定された個人における記憶された推定曲線をもとに人状態の推定を行うため、対象者の体感する状態により近い人状態の推定を行うことができる。よって、推定された人状態を基に機器の制御等を行うことにより、対象者が求める機器の制御を精度よく実施することが可能となる。
【０１１７】
また、図１２のように、人状態推定特性表示部１２４は、個人ごとの詳細な人状態推定特性を示す特性画像を表示してもよく、以下に説明する簡易な人状態の傾向を表示してもよい。
【０１１８】
例えば、図１３に示すように、全体的な傾向として暑いと感じやすい、標準的、寒いと感じやすい等、人状態推定特性を分類分けすることによって、正確な値の表示に代えて、簡易な傾向を人状態推定特性表示部１２４によって表示してもよい。これによれば、人状態推定特性表示部１２４によって表示される特性画像をより少ない情報量で表示することができる。また、対象者にとって、傾向として表示された方がより容易に理解できる。なお、このような詳細な表示と、簡易な表示とを設定により切り替えてもよい。
【０１１９】
［人状態推定モジュールの動作］
以下、上記の実施の形態、および各変形例において説明した、人状態推定モジュール１００の動作について、図１４〜図１７を用いて説明する。図１４は、実施の形態に係る人状態推定モジュールの動作を説明する第１のフローチャートである。
【０１２０】
図１４に示したフローチャートでは、室内１０に、一人の対象者のみが存在し、対象者からの入力により個人を特定する構成である。
【０１２１】
まず、人状態推定モジュール１００のセンシング部１４０において、画像が取得される。画像は、インタフェース部１２０へと送信され、画面１２１ａにおいて表示される。対象者は、画面１２１ａにおいて表示された自身の画像を確認しながら、個人特定部１２５を操作することで、個人を特定する情報を入力する（Ｓ１０）。インタフェース部１２０は、個人情報保持部１６３を参照することにより、個人情報保持部１６３に記憶された個人の情報を読み込む。個人の情報には、個人に特有の情報が含まれるため、個人の情報が読み込まれることにより、個人に特有の情報も読み込まれる（Ｓ１１）。
【０１２２】
一方で、センシング部１４０において熱画像が取得され（Ｓ１２）、通信を介して送信されることで人状態推定部１６１に取得される。人状態推定部１６１は、さらに、インタフェース部１２０から通信を介して個人に特有の情報を受信し、取得する。
【０１２３】
人状態推定部１６１は、取得した熱画像および、取得した個人に特有の情報を用いて、対象者の温冷感（つまり人状態）推定を行う（Ｓ１３）。より具体的には、人状態推定部１６１は、取得した熱画像を用いて、対象者の温冷感を推定する。人状態推定部１６１は、推定された対象者の温冷感、および取得した個人に特有の情報を人状態推定補正部１６５へと送信する。人状態推定補正部１６５は、個人に特有の情報を用いて推定された温冷感を補正し、補正された温冷感を人状態推定部１６１へと送信する。以上により、人状態推定部１６１は、熱画像、および個人に特有の情報を用いて、対象者の温冷感推定を行う（Ｓ１３）。
【０１２４】
推定した温冷感の推定結果は、人状態推定部１６１からインタフェース部１２０へと送信され、インタフェース部１２０において受信される。インタフェース部１２０は受信した温冷感の推定結果を画面１２１ａに表示させる（Ｓ１４）。
【０１２５】
ここで、対象者は、表示されている温冷感の推定結果について、正しいか否かを判断し、入力を行う。インタフェース部１２０は、温冷感の推定結果に対して、対象者からの補正情報の入力があるか否かを判定する（Ｓ１５）。対象者からの入力がなかった場合（Ｓ１５でＮｏ）、人状態推定モジュール１００は、処理を終了する。
【０１２６】
一方、対象者からの補正情報の入力があった場合（Ｓ１５でＹｅｓ）、インタフェース部１２０は、入力された補正情報を取得する（Ｓ１６）。インタフェース部１２０は、補正情報に基づいて個人に特有の情報を補正し、補正された個人に特有の情報を個人情報保持部１６３へと送信して記憶させる（Ｓ１７）。以降、人状態推定モジュール１００は、ステップＳ１１から再度処理を繰り返す。
【０１２７】
図１５は、実施の形態に係る人状態推定モジュール１００の動作を説明する第２のフローチャートである。
【０１２８】
図１５に示したフローチャートでは、室内１０に、一人の対象者のみが存在し、画像認証により対象者を示す個人を特定する構成である。したがって、図１４に示したフローチャートと異なる箇所について説明するが、実質的に同一の箇所については、省略または簡略化して説明する。
【０１２９】
まず、人状態推定モジュール１００のセンシング部１４０において、画像が取得される。画像は、インタフェース部１２０へと送信される。また、インタフェース部１２０は、個人情報保持部１６３を参照することにより、画像中の対象者に対応する個人を、個人情報保持部１６３に記憶された個人の中から画像認証により特定する（Ｓ２０）。インタフェース部１２０は、特定された個人の情報を読み込む。個人の情報には、個人に特有の情報が含まれるため、個人の情報が読み込まれることにより、個人に特有の情報も読み込まれる（Ｓ２１）。以降の処理については図１４に示したフローチャートと同様であり、ステップＳ１２に代えてステップＳ２２を実施する。また、ステップＳ１３に代えてステップＳ２３を実施し、ステップＳ１４に代えてステップＳ２４を実施し、ステップＳ１５に代えてステップＳ２５を実施する。また、ステップＳ１６に代えてステップＳ２６を実施し、ステップＳ１７に代えてステップＳ２７を実施する。以上の各ステップに対して代替される各ステック内で実施される処理は実質的に同等である。以降、人状態推定モジュール１００は、ステップＳ２１から再度処理を繰り返す。
【０１３０】
図１６は、実施の形態に係る人状態推定モジュール１００の動作を説明する第３のフローチャートである。
【０１３１】
図１６に示したフローチャートでは、室内１０に、複数の対象者が存在し、対象者からの入力により個人を特定する構成である。
【０１３２】
まず、センシング部１４０において熱画像が取得され（Ｓ３０）、通信を介して送信されることで人状態推定部１６１に取得される。人状態推定部１６１は、取得した熱画像を用いて、熱画像内の複数の対象者の温冷感（つまり人状態）推定を行う（Ｓ３１）。人状態推定部１６１は、推定した温冷感の推定結果を、インタフェース部１２０へと送信し、インタフェース部１２０において受信される。また、人状態推定モジュール１００のセンシング部１４０において、画像が取得される。画像は、インタフェース部１２０へと送信され、画面１２１ａにおいて表示される。インタフェース部１２０は受信した温冷感の推定結果を画像と併せて画面１２１ａに表示させる（Ｓ３２）。
【０１３３】
ここで、対象者は、画面１２１ａにおいて表示された画像から、対象人選択部１２９を操作することで、画像中の複数の対象者のなかから自身に対応する対象者を選択する。インタフェース部１２０は、対象者からの対象者を選択する対象人選択情報の入力があるか否かを判定し（Ｓ３３）、対象人選択情報の入力がないと判定された場合（Ｓ３３でＮｏ）、ステップＳ３０から再度処理を繰り返す。
【０１３４】
一方で、対象人選択情報の入力があると判定された場合（Ｓ３３でＹｅｓ）、当該対象人選択情報を、対象人選択部１２９から取得する（Ｓ３４）。インタフェース部１２０は、個人情報保持部１６３を参照することにより、個人情報保持部１６３に記憶された個人の中から、選択された対象者を示す個人の情報を取得し、読み込む。個人の情報には、個人に特有の情報が含まれるため、個人の情報が取得され、読み込まれることにより、個人に特有の情報も取得され、読み込まれる（Ｓ３５）。
【０１３５】
インタフェース部１２０は、入力された対象人選択情報および読み込まれた個人に特有の情報を人状態推定部１６１へと送信する。人状態推定部１６１は、受信した対象人選択情報に基づき、温冷感推定を行った複数の対象者の中から選択された対象者の温冷感を抽出する。また、人状態推定部１６１は、受信した個人に特有の情報と、抽出された対象者の温冷感とを、用いて、対象者の温冷感（つまり人状態）推定を行う（Ｓ３６）。
【０１３６】
より具体的には、人状態推定部１６１は、抽出された対象者の温冷感、および受信した個人に特有の情報を人状態推定補正部１６５へと送信する。人状態推定補正部１６５は、個人に特有の情報を用いて抽出された温冷感を補正し、補正された温冷感を人状態推定部１６１へと送信する。以上により、人状態推定部１６１は、抽出された温冷感、および個人に特有の情報を用いて、対象者の温冷感推定を行う（Ｓ３６）。
【０１３７】
推定した温冷感の推定結果は、人状態推定部１６１からインタフェース部１２０へと送信され、インタフェース部１２０において受信される。インタフェース部１２０は受信した温冷感の推定結果を画面１２１ａに表示させる。
【０１３８】
ここで、対象者は、表示されている温冷感の推定結果について、正しいか否かを判断し、入力を行う。インタフェース部１２０は、温冷感の推定結果に対して、対象者からの補正情報の入力があるか否かを判定する（Ｓ３７）。対象者からの入力がなかった場合（Ｓ３７でＮｏ）、人状態推定モジュール１００は、処理を終了する。
【０１３９】
一方、対象者からの補正情報の入力があった場合（Ｓ３７でＹｅｓ）、インタフェース部１２０は、入力された補正情報を取得する（Ｓ３８）。インタフェース部１２０は、補正情報に基づいて個人に特有の情報を補正し、補正された個人に特有の情報を個人情報保持部１６３へと送信して記憶させる（Ｓ３９）。以降、人状態推定モジュール１００は、ステップＳ３０から再度処理を繰り返す。
【０１４０】
図１７は、実施の形態に係る人状態推定モジュール１００の動作を説明する第４のフローチャートである。
【０１４１】
図１７に示したフローチャートでは、室内１０に、複数の対象者が存在し、画像認証により複数の対象者それぞれを示す複数の個人を特定する構成である。したがって、図１６に示したフローチャートと異なる箇所について説明するが、実質的に同一の箇所については、省略または簡略化して説明する。
【０１４２】
まず、人状態推定モジュール１００のセンシング部１４０において、画像が取得される。画像は、インタフェース部１２０へと送信される。また、インタフェース部１２０は、個人情報保持部１６３を参照することにより、画像中の複数の対象者に対応する複数の個人を、個人情報保持部１６３に記憶された個人の中から画像認証により特定する（Ｓ４０）。インタフェース部１２０は、特定された複数の個人の情報を読み込む。複数の個人の情報には、複数の個人に特有の情報が含まれるため、複数の個人の情報が読み込まれることにより、複数の個人に特有の情報も読み込まれる（Ｓ４１）。
【０１４３】
次に、センシング部１４０において熱画像が取得され（Ｓ４２）、通信を介して送信されることで人状態推定部１６１に取得される。インタフェース部１２０は、読み込まれた複数の個人に特有の情報を、人状態推定部１６１へと送信する。複数の個人に特有の情報は、人状態推定部１６１において受信されることで取得される。
【０１４４】
人状態推定部１６１は、取得した熱画像および、取得した複数の個人に特有の情報を用いて、複数の対象者それぞれの温冷感（つまり人状態）推定を行う（Ｓ４３）。より具体的には、人状態推定部１６１は、取得した熱画像を用いて、複数の対象者それぞれの温冷感を推定する。人状態推定部１６１は、推定された複数の対象者それぞれの温冷感、および取得した複数の個人に特有の情報を人状態推定補正部１６５へと送信する。人状態推定補正部１６５は、複数の個人に特有の情報を用いて推定された複数の対象者それぞれの温冷感を補正し、補正された複数の対象者それぞれの温冷感を人状態推定部１６１へと送信する。以上により、人状態推定部１６１は、熱画像、および複数の個人に特有の情報を用いて、複数の対象者それぞれの温冷感推定を行う（Ｓ４３）。
【０１４５】
推定した複数の対象者それぞれの温冷感の推定結果は、人状態推定部１６１からインタフェース部１２０へと送信され、インタフェース部１２０において受信される。インタフェース部１２０は受信した複数の対象者それぞれの温冷感の推定結果を画面１２１ａに表示させる（Ｓ４４）。
【０１４６】
ここで、対象者は、画面１２１ａにおいて表示された画像から、対象人選択部１２９を操作することで、画像中の複数の対象者のなかから自身に対応する対象者を選択する。インタフェース部１２０は、対象者からの対象者を選択する対象人選択情報の入力があるか否かを判定し（Ｓ４５）、対象人選択情報の入力がないと判定された場合（Ｓ４５でＮｏ）、ステップＳ４１から再度処理を繰り返す。
【０１４７】
一方で、対象人選択情報の入力があると判定された場合（Ｓ４５でＹｅｓ）、当該対象人選択情報を、対象人選択部１２９から取得する（Ｓ４６）。
【０１４８】
以降の処理については図１６に示したフローチャートと同様であり、ステップＳ３７に代えてステップＳ４７を実施する。また、ステップＳ３８に代えてステップＳ４８を実施し、ステップＳ３９に代えてステップＳ４９を実施し以降、人状態推定モジュール１００は、ステップＳ４１から再度処理を繰り返す。
【０１４９】
（その他の実施の形態）
以上、本開示に係る人状態推定モジュール１００温冷感推定モジュール、およびユーザインタフェース装置について、上記実施の形態および各変形例に基づいて説明したが、本開示は、上記の実施の形態および各変形例に限定されるものではない。例えば、上記実施の形態等に対して当業者が思いつく各種変形を施して得られる形態や、本開示の趣旨を逸脱しない範囲で実施の形態等における構成要素及び機能を任意に組み合わせることで実現される形態も本開示に含まれる。
【０１５０】
上記実施の形態の変形例２においては、タッチパネル１２１ｂに様々な表示を行い、当該タッチパネル１２１ｂを操作することにより各種機能を実現した。例えば、これらの各種機能を実現するハードウェアスイッチを別に備えてもよい。
【０１５１】
また、例えば、タッチパネル１２１ｂとハードウェアスイッチとを任意に組み合わせて各種機能を実現してもよい。
【０１５２】
また、インタフェース部１２０は、空気調和装置１０１のリモートコントローラであるものとして説明したが、スマートホンまたはタブレット端末等の携帯端末により実現してもよい。また、当該携帯端末上において上記機能を実現するアプリケーションとして実現してもよい。
【０１５３】
また上記では、人状態として、温冷感についての一例を中心に説明したが、人状態としては、眠気推定装置、脈波推定装置、心拍推定装置等、人状態推定モジュールを任意の装置に組み合わせて使用してもよい。
【０１５４】
眠気推定装置等においては、熱画像を取得する必要はなく、熱画像取得部を備えなくてもよい。
【０１５５】
また、上記実施の形態等では、人状態推定モジュールを対象者が操作する例を示したが、対象者とは異なる人状態推定モジュールの使用者が操作してもよい。
【産業上の利用可能性】
【０１５６】
対象者の体感する状態をセンサ等により検知し、機器の制御等に用いる機器制御システム等に利用可能である。
【符号の説明】
【０１５７】
１０  室内
２１  第１の人
２３  第２の人
２５、２７  カーソル
３０  手
３１  個人情報入力表示
３３  個人特定表示
３５、３５ｂ、３５ｃ、３５ｄ  スケールバー
３７  入力欄
４１  リセットボタン
５１、５１ｂ、５１ｃ、５１ｄ  第１位置
５３、５３ｂ、５３ｃ、５３ｄ  第２位置
５５、５５ｂ、５５ｃ、５５ｄ  基準図形
５７、５７ｂ、５７ｃ、５７ｄ  推定人状態指示表示
５９、５９ｂ、５９ｃ、５９ｄ  入力人状態指示表示
１００  人状態推定モジュール
１０１  空気調和装置
１２０、１２０ａ、１２０ｂ、１２０ｃ  インタフェース部
１２１  カメラ画像表示部
１２１ａ  画面
１２１ｂ  タッチパネル
１２３  人状態表示部
１２３ａ  サブ画面
１２４  人状態推定特性表示部
１２５  個人特定部
１２７  個人情報入力部
１２９  対象人選択部
１４０  センシング部
１４１  画像取得部
１４３  熱画像取得部
１６０  演算処理部
１６１  人状態推定部
１６３  個人情報保持部
１６５  人状態推定補正部
【図１】
2020153780.tif 000003
【図２】
2020153780.tif 000004
【図３】
2020153780.tif 000005
【図４】
2020153780.tif 000006
【図５】
2020153780.tif 000007
【図６】
2020153780.tif 000008
【図７Ａ】
2020153780.tif 000009
【図７Ｂ】
2020153780.tif 000010
【図７Ｃ】
2020153780.tif 000011
【図８】
2020153780.tif 000012
【図９Ａ】
2020153780.tif 000013
【図９Ｂ】
2020153780.tif 000014
【図１０Ａ】
2020153780.tif 000015
【図１０Ｂ】
2020153780.tif 000016
【図１０Ｃ】
2020153780.tif 000017
【図１０Ｄ】
2020153780.tif 000018
【図１１Ａ】
2020153780.tif 000019
【図１１Ｂ】
2020153780.tif 000020
【図１２】
2020153780.tif 000021
【図１３】
2020153780.tif 000022
【図１４】
2020153780.tif 000023
【図１５】
2020153780.tif 000024
【図１６】
2020153780.tif 000025
【図１７】
2020153780.tif 000026